(57)【要約】【課題】  会議の開催通知等の情報から、人との間の関係の強度を求めることができる。【解決手段】  強度計算装置は、m人(mは複数)の人の集合に含まれる前記人のペアの各々に対応して、前記ペアを成す前記人の間の関係の強度を表す値を記憶する強度記憶手段と、前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる強度計算手段と、を備える。【選択図】      図１
2014154130.tif 000002
【特許請求の範囲】
【請求項１】
m人(mは複数)の人の集合に含まれる前記人のペアの各々に対応して、前記ペアを成す前記人の間の関係の強度を表す値を記憶する強度記憶手段と、
前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる強度計算手段と、
を備える強度計算装置。
【請求項２】
前記メッセージは、前記会議の時間の情報をさらに含んでおり、
前記強度計算手段は、前記会議の時間が長い程、前記強度を大きく増加させる請求項１に記載の強度計算装置。
【請求項３】
前記メッセージは、前記会議の曜日の情報をさらに含んでおり、
前記メッセージを記憶するメッセージ記憶手段をさらに備え、
前記強度計算手段は、前記増加対象ペアと同じペアを抽出でき、かつ、前記メッセージと同じ曜日のメッセージを前記メッセージ記憶手段から取得し、前記取得したメッセージの数が一定値以上であれば、前記強度を大きく増加させる請求項１に記載の強度計算装置。
【請求項４】
前記人と組織の対応を示す組織表を記憶する組織記憶手段をさらに備え、
前記強度計算手段は、前記組織記憶手段から取得した前記組織表を参照して、指定された前記人と同じ前記組織の前記人からなる前記ペアを選択して、選択された前記ペアの強度の値を出力する請求項１乃至３の何れか１つに記載の強度計算装置。
【請求項５】
m人(mは複数)の人の集合に含まれる前記人のペアの各々に対応して、前記ペアを成す前記人の間の関係の強度を表す値を強度記憶手段に記憶し、
前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる計算方法。
【請求項６】
前記メッセージは、前記会議の時間の情報をさらに含んでおり、
前記会議の時間が長い程、前記強度を大きく増加させる請求項５に記載の計算方法。
【請求項７】
前記メッセージは、前記会議の曜日の情報をさらに含んでおり、
前記メッセージをメッセージ記憶手段に記憶し、
前記増加対象ペアと同じペアを抽出でき、かつ、前記メッセージと同じ曜日のメッセージを前記メッセージ記憶手段から取得し、前記取得したメッセージの数が一定値以上であれば、前記強度を大きく増加させる請求項５に記載の計算方法。
【請求項８】
m人(mは複数)の人の集合に含まれる前記人のペアの各々に対応して、前記ペアを成す前記人の間の関係の強度を表す値を強度記憶手段に記憶する強度記憶処理と、
前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる強度計算処理と、
をコンピュータに実行させるプログラム。
【請求項９】
前記メッセージは、前記会議の時間の情報をさらに含んでおり、
コンピュータに、前記会議の時間が長い程、前記強度を大きく増加させる前記強度計算処理を実行させる請求項８に記載のプログラム。
【請求項１０】
前記メッセージは、前記会議の曜日の情報をさらに含んでおり、
コンピュータに、
前記メッセージをメッセージ記憶手段に記憶させるメッセージ記憶処理と、
前記増加対象ペアと同じペアを抽出でき、かつ、前記メッセージと同じ曜日のメッセージを前記メッセージ記憶手段から取得し、前記取得したメッセージの数が一定値以上であれば、前記強度を大きく増加させる前記強度計算処理を実行させる請求項８に記載のプログラム。
【発明の詳細な説明】
【技術分野】
【０００１】
本発明は、特に人間関係の強度についての、強度計算装置、計算方法、及びプログラムに関する。
【背景技術】
【０００２】
人との間の関係性を的確に把握することは重要である。例えば、会議をセッティングする会議開催者においては、会議の内容を基に、会議の出席者(以降、会議メンバ)を選別し、会議開催情報を会議メンバへ連絡する。このとき、会議開催者は、誰が会議メンバとして必要かを、適切に、かつ、素早く選択することは重要である。
【０００３】
このような背景の中、特許文献１には、ユーザが指定した指定者からの所定の人脈ルートを検索する技術が開示されている。
【０００４】
特許文献２には、会議主催者が選んだ過去の会議情報を基に、参加者を決定する技術が開示されている。
【０００５】
特許文献３には、前回の会議データを記録し、その会議データを次回の会議で引き継ぐ技術が開示されている。
【０００６】
特許文献４には、コミュニティを対象に、構成員を検索することで興味一致度、検索一致度および影響力をソートする技術が開示されている。
【０００７】
特許文献５には、会議欠席者や途中参加者へ過去の会議情報の特徴量を提示する技術が開示されている。
【先行技術文献】
【特許文献】
【０００８】
【特許文献１】特開２０１１−１０８０４２号公報
【特許文献２】特開２００７−１４０９３４号公報
【特許文献３】特開２００５−３４６５１５号公報
【特許文献４】特許第３８９２８１５号
【特許文献５】特開２００４−１７３０５８号公報
【発明の概要】
【発明が解決しようとする課題】
【０００９】
しかし、上述の特許文献１〜５では、会議の開催通知等の情報から、人との間の関係の強度を導き出すことはできなかった。
【００１０】
そこで、本発明の目的は、上述した課題を解決する強度計算装置、計算方法、及びプログラムを提供することにある。
【課題を解決するための手段】
【００１１】
かかる目的を達成するため、本発明の一形態にかかる強度計算装置は、m人(mは複数)の人の集合に含まれる前記人のペアの各々に対応して、前記ペアを成す前記人の間の関係の強度を表す値を記憶する強度記憶手段と、前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる強度計算手段と、を備える。
【００１２】
また、かかる目的を達成するため、本発明の一形態にかかる計算方法は、m人(mは複数)の人の集合に含まれる前記人のペアの各々に対応して、前記ペアを成す前記人の間の関係の強度を表す値を強度記憶手段に記憶し、前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる。
【００１３】
さらに、かかる目的を達成するため、本発明の一形態にかかるプログラムは、m人(mは複数)の人の集合に含まれる前記人のペアの各々に対応して、前記ペアを成す前記人の間の関係の強度を表す値を強度記憶手段に記憶する強度記憶処理と、前記集合に含まれ、会議に関係するn人(nは複数、nはm以下)の前記人の一覧を含むメッセージを受信して、前記メッセージから前記人のペアである増加対象ペアを抽出し、前記増加対象ペアごとに、前記強度記憶手段に記憶される前記強度を増加させる強度計算処理と、をコンピュータに実行させる。
【発明の効果】
【００１４】
本発明における人関係計算装置、計算方法、およびプログラムによれば、会議の開催通知等の情報から、人との間の関係の強度を求めることができる。
【図面の簡単な説明】
【００１５】
【図１】図１は、本発明を実施するための第１の形態の構成を示すブロック図である。
【図２】図２は、本発明を実施するための第１の形態の動作における、会議の長さから人との間の関係の強度を計算する動作を示す流れ図である。
【図３】図３は、本発明を実施するための第１の形態の動作における、組織表１１から決定された人と同じ組織の人とのペアを抽出し、抽出したペアの関係の強度を出力する動作を示す流れ図であり、図２の動作の続きである。
【図４】図４は、本発明を実施するための第２の形態の構成を示すブロック図である。
【図５】図５は、本発明を実施するための第２の形態の動作における、強度計算部２０１が受信したメッセージ２０３と、メッセージ記憶部２０７が記憶するメッセージ２０３との受信時刻の間隔から人との間の関係の強度を計算する動作を示す流れ図である。
【図６】図６は、強度計算部２０１が受信するメッセージ２０３の具体例を示す図である。
【図７】図７は、メッセージ記憶部２０７が記憶するメッセージ表１２の具体例を示す図である。
【図８】図８は、強度記憶部２０２が記憶する強度表１３の具体例を示す図である。
【図９】図９は、組織表記憶部２０５が記憶する組織表１１の具体例を示す図である。
【図１０】図１０は、本発明を実施するための第３の形態の構成を示すブロック図である。
【発明を実施するための形態】
【００１６】
発明を実施するための形態について図面を参照して詳細に説明する。
【００１７】
なお、本発明を実施するための形態における強度計算装置１０１等を構成する各部は、制御部、メモリ、メモリにロードされたプログラム、プログラムを記憶するハードディスク等の記憶ユニット、ネットワーク接続用インターフェースなどからなる。また、その各部は、ハードウェアとソフトウェアの任意の組合せによって実現される。そして、特に断りのない限り、その実現方法、装置は限定されない。
【００１８】
また、制御部はCPU（Central Processing Unit）などからなる。その制御部は、オペレーティングシステムを動作させて強度計算装置１０１等の全体を制御する。それとともに、制御部は、例えばドライブ装置などに装着された記録媒体からメモリにプログラムやデータを読み出し、これに従って各種の処理を実行する。
【００１９】
記録ユニットは、例えば光ディスク、フレキシブルディスク、磁気光ディスク、外付けハードディスク、半導体メモリ等である。記憶ユニットは、コンピュータプログラムをコンピュータが読み取り可能に記録する。また、コンピュータプログラムは、通信網に接続されていて、かつ、図示しない外部コンピュータからダウンロードされても良い。ここで、特に断りの無い限り、通信網とは、インターネット、LAN（Local Area Network）、公衆回線網、無線通信網、または、これらの組み合わせ等によって構成されるネットワーク等であっても良い。
【００２０】
また、発明を実施するための形態の説明において利用するブロック図は、ハードウェア単位の構成ではなく、機能単位の構成を示している。これらの機能ブロックは、ハードウェア、ソフトウェアの任意の組み合わせによって実現される。また、これらの図において、各実施形態の構成部は、物理的に結合した一つの装置により実現されるよう記載されている場合もある。しかし、その構成部の実現手段は、これに限定されない。すなわち、強度計算装置１０１は、二つ以上の物理的に分離した装置を、有線または無線で接続した複数の装置により実現されても良い。また、各構成部が物理的に分離した２つ以上の装置等として記載されている場合もある。しかし、その構成部の実現手段は、これに限定されない。すなわち、強度計算装置１０１は、ハードウェア、ソフトウェアを任意に組み合わせて物理的に結合した一つの装置により実現されても良い。
＜第１の実施形態＞
図１を用いて、本発明を実施するための第１の形態における強度計算装置１０１の構成について説明する。図１は、本発明を実施するための第１の形態の構成を示すブロック図である。
【００２１】
図１が示すように、本発明を実施するための第１の形態における強度計算装置１０１は、強度計算部２０１、強度記憶部２０２、組織表記憶部２０５、を備える。
【００２２】
強度計算部２０１は、m人(mは複数)の集合に含まれ、会議に関係するn人(nは複数、nはm以下)の人の一覧２０４を含むメッセージ２０３を受信して、当該人の一覧２０４から重複を持たない２人１組のペアを抽出し、抽出したペアの強度を出力する。
【００２３】
強度記憶部２０２は、強度計算部２０１が計算した、m人の集合に含まれる当該人のペアの各々に対応して、当該ペアを成す人との間の関係の強度を表す値を記憶する。
【００２４】
組織表記憶部２０５は、例えば、総務部や経理部等の、会社の組織名と当該組織に属する人の名前が記載された組織表１１を記憶する。
【００２５】
まず、図６、図８、図９、のデータ構造について説明する。
【００２６】
図６は、強度計算部２０１が受信する、人の一覧２０４を含むメッセージ２０３のデータの具体例を示す図である。図６は、会議主催者が会議参加者へ、会議開催について送信する会議開催通知のメール(以降、会議開催通知１)を示す。図６が示すように、会議開催通知１は、例えば、「会議開催日時、会議場所、会議の参加メンバ名、会議内容」等の内容が記載されている。
【００２７】
また、図６が示すように、人の一覧２０４には、例えば、参加メンバの名前やID、役職等が記載されている。これは、強度計算部２０１が、重複を持たない２人１組のペアを抽出するための選択肢であり、当該人の一覧２０４により抽出したペアの強度が得られることを示す。ここで、メッセージ２０３は、例えば、会議が開催される曜日が記載されていても良い。
【００２８】
図８は、重複を持たない２人１組のペアである人のペアと、当該人のペアごとについての強度を含む強度表１３の具体例を示す図である。図８が示すように、強度表１３が含む人のペアは、例えば、ある会社に勤める従業員がAさん,Bさん,Cさん,Dさん,Eさん,Fさん,Gさんであった場合、その従業員同士のペアである。また、従業員の人のペアの、AさんとBさんの強度(以降、A-Bの強度)は２であり、A-Cの強度は３である。これは、AさんとCさんの関係が、AさんとBさんの関係よりも関係の強度が大きいことを示している。
【００２９】
図９は、組織表記憶部２０５が記憶する組織表１１の具体例を示す図である。組織表１１は、例えば、総務部や経理部等の、会社の組織名と当該組織に属する人の名前を含む。図９が示すように、組織表１１には、例えば、組織１にはAさん、Bさん、Cさん、Dさん、Eさんが属していると記載されている。また、組織２にはAさん、Bさん、Cさんが、組織３にはDさんとEさんが属している。これにより、組織２と組織３は、組織１に属しており、組織１と包含関係であることを示す。
【００３０】
ここで、組織表１１は、例えば、組織に属する人の役職や入社年数等が記載されていても良いし、役職や入社年数等ごとの組織で作成されても良い。また、組織表１１に含まれる組織は、例えば、全社員を含む会社全体であっても良い。
【００３１】
次に、図２、図３を用いて、重複を持たない２人一組のペアの関係の強度を算出する動作を説明する。
【００３２】
まず、図２を用いて、本発明を実施するための第１の形態の動作における、会議の長さから人との間の関係の強度を計算する動作を説明する。
【００３３】
強度計算部２０１は、強度記憶部２０２から強度表１３、例えば図８が示す強度表１３、を取得する(ステップS２００)。次に、会議に関係するn人の一覧２０４を含むメッセージ２０３、例えば図６が示すメッセージ２０３、を受信する(ステップS２０１)。そのn人の一覧２０４、例えば図６が示す人の一覧２０４はA,B,C、から、重複を持たない２人１組のペアを抽出する(ステップS２０２)。ここで、２人１組のペアは、例えばA-B、A-C、B-Cのことである。次に、強度計算部２０１は、メッセージ２０３に含まれる、会議の長さを抽出する(ステップS２０３)。ここで、会議の長さは、例えば図６で示すように、AM１０：００〜１２：００なので、２時間である。
【００３４】
強度計算部２０１は、抽出したペアが強度表１３内に記載されていた場合(ステップS２０４でYes)、抽出した会議の単位時間当たりの長さの切り上げ値、例えば図６が示す２(時間)、を強度の値に加算する(ステップS２０５)。
【００３５】
ここで、抽出したペアが強度表１３内に記載されていない場合(ステップS２０４でNo)、強度計算部２０１は、強度表１３に抽出したペアを追加し、ステップS２０５のフローへ進む(ステップS２１０)。
【００３６】
強度計算部２０１は、ステップS２０４、ステップS２０５、ステップS２１０を、抽出したペア全てについて、順次繰り返し、終了したら続いて図３のフローを実行する。ここで、全てのペアは、例えばA-B、A-C、B-Cの３ペアのことである。
【００３７】
以上で、本発明を実施するための第１の形態の動作における、会議の長さから人との間の関係の強度を計算する動作が終了する。
【００３８】
次に、図３を用いて、本発明を実施するための第１の形態の動作における、組織表１１から決定された人と同じ組織の人とのペアを抽出し、抽出したペアの関係の強度を出力する動作を説明する。
【００３９】
まず、強度計算部２０１は、組織記憶部から組織表１１、例えば図９が示す組織表１１、を取得する(ステップS３００)。次に、ユーザが端末２０６に入力した人名を取得する(ステップS３０１)。ここで、取得された人は、例えば図６の会議開催通知１を送付した会議開催者である。次に、取得された人の組織を組織表１１から抽出する(ステップS３０２)。次に、取得された人の組織が１つの場合(ステップS３０３でYes)、取得された人と同じ組織の人とのペアを抽出する(ステップS３０３。次に、抽出されたペアの強度の値を強度表１３から得て、端末２０６に出力する(ステップS３０４)。
【００４０】
ここで、組織が１つでなかった場合(ステップS３０３でNo)、複数の組織を端末２０６に表示し、その中から選択された１つの組織名を入力し、ステップS３０４のフローへ進む(ステップS３１０)。
【００４１】
ここで、強度計算部２０１は、例えばステップS３０２で、全ての組織を抽出しても良い。具体的には、強度計算装置１０１は、全ての組織から１つの組織を選択して、その組織に属する人を一覧表示するときに、取得された人（例えば会議開催者）との強度でソートして表示し、その一覧の中から人を選択する。強度計算装置１０１は、この組織の選択を繰り返してその所属する人の一覧の中から会議参加者を決定しても良い。また、強度計算部２０１は、例えばステップS３０４で、取得された人と全ての組織の人とのペアを抽出しても良い。また、強度計算部２０１は、例えばステップS３０５で、抽出したペアを、取得された人との関係の強度が大きい順に出力しても良い。
【００４２】
以上で、本発明を実施するための第１の形態の動作における、組織表１１から決定された人と他の人とのペアを抽出し、抽出したペアの関係の強度を出力する動作が終了する。
【００４３】
そして、図２、図３の説明から、重複を持たない２人一組のペアの関係の強度を算出する動作が終了する。
【００４４】
本発明を実施するための第１の形態における強度計算装置１０１は、強度表１３の決定されたペアの関係の強度に対して、当該メッセージ２０３の会議時間を加算することで、ペアの関係の強度を算出する。そのため、強度計算装置１０１は、会議を共有した時間の長さから、人との間の関係の強度を求めることが可能となる。
【００４５】
ここで、強度計算部２０１は、会議開催者が参加メンバを選択する時間、を短縮することを可能とする。その理由は、強度計算部２０１が、会議の参加メンバ同士の強度を計算し、会議開催者と、会議開催者と同じ組織の人とのペアを抽出し、抽出したペアを、会議開催者との関係の強度が大きい順に出力するからである。
＜第２の実施形態＞
次に、本発明を実施するための第２の形態について説明する。本発明を実施するための第２の形態では、ペアを構成する人が共に出席する会議が開催される頻度(時間間隔の長短)から、人との間の関係の強度を計算する強度計算装置１０１について説明する。
【００４６】
図４を用いて、本発明を実施するための第２の形態における構成を説明する。本発明を実施するための第２の形態における強度計算装置１０１は、本発明を実施するための第１の形態の構成に加え、メッセージ記憶部２０７を有する。
【００４７】
メッセージ記憶部２０７は、例えば、受信したメッセージ２０３と受信した日時を表すメッセージ表１２を記憶する。
【００４８】
まず、図６、図７、図８、図９、のデータ構造について説明する。ここで、図６、図８、図９のデータ構造については、第１の実施の形態についての説明で、既に説明を行っているため、説明を省略する。
【００４９】
図７は、メッセージ記憶部２０７が記憶している、強度計算部２０１が受信したメッセージ２０３と当該メッセージ２０３の受信時刻を一覧で表したメッセージ表１２、の具体例を示す。図７が示すように、例えば、強度計算部２０１が会議開催通知１を受信した受信時刻は１月３日のAM１０：００と記載されている。ここで、メッセージ表１２は、例えば、メッセージ２０３の詳細情報が記載されていても良い。メッセージ２０３の詳細情報は、例えば、「会議開催日時、会議が開催される曜日、会議場所、会議の参加メンバ名、会議内容」等である。
【００５０】
次に、図３、図５を用いて、重複を持たない２人一組のペアの関係の強度を算出する動作を説明する。ここで、図３については、第１の実施の形態についての説明で、既に動作の説明を行っているため、説明を省略する。
【００５１】
図５を用いて、本発明を実施するための第２形態の動作における、受信時刻の間隔から人との間の関係の強度を計算する動作を説明する。
【００５２】
まず、強度計算部２０１は、強度記憶部２０２から強度表１３、例えば図８が示す強度表１３、を取得する(ステップS４００)。次に、会議に関係するn人の一覧２０４を含むメッセージ２０３を受信する(ステップS４０１)。例えば、メッセージ２０３は、図７に記載の会議開催通知５である。会議開催通知５の参加メンバはA,B,Cである。そのn人の一覧２０４、例えば会議開催通知５示す人の一覧２０４はA,B,C、から、重複を持たない２人１組のペアを抽出する(ステップS４０２)。ここで、２人１組のペアは、例えばA-B、A-C、B-Cのことである。次に、強度計算部２０１は、メッセージ記憶部２０７からメッセージ表１２、例えば図７が示すメッセージ表１２、を取得する。 (ステップS４０３)。
【００５３】
強度計算部２０１は、抽出したペアが強度表１３内に記載されていた場合(ステップS４０４でYes)、かつ、取得したメッセージ表１２の中に、抽出したペアと同じペアが存在した場合(ステップS４０５でYes)、抽出したペアと同じペアが存在する最新のメッセージ２０３の受信時刻を、メッセージ表１２から取得する(ステップS４０６)。抽出したペアは、例えば、会議開催通知５ではA-B,A-C,B-Cである。その場合、A-Bのペアと同じペアが存在する、メッセージ表１２に記載された最新のメッセージ２０３は、会議開催通知１である。
【００５４】
次に、当該受信時刻と、現在時刻が同じ日の場合(ステップS４０７でYes)、強度表１３にある抽出したペアそれぞれに強度の値を２加算する(ステップS４０８)。ここで、現在時刻は、例えばステップS４０１で受信したメッセージ２０３の受信時刻でも良い。また、加算する強度の値は、他の値であっても良い。
【００５５】
ここで、当該受信時刻と、現在時刻が同じ日ではない場合(ステップS４０７でNo)、強度計算部２０１は、日単位当たりの、当該受信時刻と現在時刻の差異の切り上げ値Xを求め、１／Xを強度の値に加算する(ステップS４１１)。例えば、当該受信時刻が１月３日AM１０：００(会議開催通知１)で、現在時刻が１月７日PM３：００(会議開催通知５)であれば、差異の切り上げ値Xは、４(７日−３日)である。
【００５６】
ここで、メッセージ表１２の中に、抽出したペアと同じペアが存在しない場合(ステップS４０５でNo)、強度計算部２０１は、ステップS４０８の次のフローへ進む。
【００５７】
ここで、抽出したペアが強度表１３内に無い場合(ステップS４０４でNo)、強度計算部２０１は、強度表１３に抽出したペアを追加し、ステップS４０５のフローへ進む(ステップS４１０)。
【００５８】
ここで、強度計算部２０１は、図５の変形例として、例えば受信時刻の間隔の代わりに、受信日の曜日や受信時間とのマッチングから人との間の関係の強度を計算しても良い。
【００５９】
その場合、強度計算部２０１は、例えば、S４０６で、メッセージ表１２の中に、受信したメッセージ２０３の会議開催日と同じ曜日が存在する場合、S４０７で、抽出したペアと同じペア、受信したメッセージ２０３の会議開催日と同じ曜日、が存在するメッセージ２０３をメッセージ表１２から取得する。次に、強度計算部２０１は、S４０８で、当該取得したメッセージ２０３の数がある一定の値以上の場合、S４０９で、２を強度の値に加算する。
【００６０】
ここで、強度計算部２０１は、S４０６でメッセージ表１２の中に、受信したメッセージ２０３の会議開催日と同じ曜日が存在しない場合、または、S４０８で当該取得したメッセージ２０３の数がある一定の値未満の場合、１を強度の値に加算する。
【００６１】
ここで、強度計算部２０１は、S４０７で取得したメッセージ２０３が、受信したメッセージ２０３と同じ開催時間で、かつ、当該取得したメッセージ２０３の数がある一定の値以上の場合であれば、３を強度の値に加算しても良い。また、強度計算部２０１が加算する強度の値は、他の値であっても良い。
【００６２】
強度計算部２０１は、ステップS４０４、ステップS４０５、ステップS４０６、ステップS４０７、ステップS４０８、ステップS４１０、ステップS４１１を、抽出したペア全てについて、順次繰り返し、終了したら続いて図３のフローを実行する。
【００６３】
以上で、本発明を実施するための第２形態の動作における、受信時刻の間隔から人との間の関係の強度を計算する動作が終了する。
【００６４】
そして、図３、図５の説明から、重複を持たない２人一組のペアの関係の強度を算出する動作が終了する。
【００６５】
本発明を実施するための第２の形態における強度計算装置１０１は、強度表１３の決定されたペアの関係の強度に対して、当該メッセージ２０３の受信時刻と現在時刻の差異を加算することで、ペアの関係の強度を算出する。そのため、強度計算装置１０１は、ペアを構成する人が共に出席する会議が開催される頻度(時間間隔の長短)から、人との間の関係の強度を求めることが可能となる。
【００６６】
ここで、強度計算部２０１は、会議参加者が定例会議等の参加メンバを選択する時間、を短縮することを可能とする。その理由は、強度計算部２０１が、会議の参加メンバ同士の強度を、会議開催日が同じ曜日であれば増加させるように、同じ曜日及び同じ時間であればさらに大きく増加させるように計算し、会議開催者と、会議開催者と他の人とのペアの関係の強度を算出するからである。
＜第３の実施形態＞
図１０を用いて、本発明を実施するための第３の形態における強度計算部２０１の構成について説明する。図１０は、本発明を実施するための第３の形態の構成を示すブロック図である。
【００６７】
図１０が示すように、本発明を実施するための第３の形態における強度計算部２０１は、強度計算部２０１、強度記憶部２０２、を備える。
【００６８】
強度記憶部２０２は、m人(mは複数)の人の集合に含まれる前記人のペアの各々に対応して、前記ペアを成す前記人の間の関係の強度を表す値を記憶する。強度計算部２０１は、前記集合に含まれ、会議に関係するn人(nは複数、nはm以下)の前記人の一覧２０４を含むメッセージ２０３を受信して、前記メッセージ２０３から前記人のペアである増加対象ペアを抽出し、前記増加対象ペアごとに、前記強度記憶手段に記憶される前記強度を増加させる。
【００６９】
ここで、強度計算部２０１は、会議の開催通知等の情報から、人との間の関係の強度を求めることができる。その理由は、強度計算部２０１が、強度記憶部２０２が記憶している強度を表す値と、人の一覧２０４を含むメッセージ２０３の会議情報から、重複を持たない２人１組のペアの強度の値を算出できるからである。
【００７０】
以上、実施形態を用いて本願発明を説明したが、本願発明は、上記実施形態に限定されるものではない。本願発明の構成や詳細には、本願発明のスコープ内で当業者が理解しうる様々な変更をすることができる。
【符号の説明】
【００７１】
１１    組織表
１２    メッセージ表
１３    強度表
１０１    強度計算装置
２０１    強度計算部
２０２    強度記憶部
２０３    メッセージ
２０４    人の一覧
２０５    組織表記憶部
２０６    端末
２０７    メッセージ記憶部
【図１】
2014154130.tif 000003
【図２】
2014154130.tif 000004
【図３】
2014154130.tif 000005
【図４】
2014154130.tif 000006
【図５】
2014154130.tif 000007
【図６】
2014154130.tif 000008
【図７】
2014154130.tif 000009
【図８】
2014154130.tif 000010
【図９】
2014154130.tif 000011
【図１０】
2014154130.tif 000012